(57)【特許請求の範囲】
【請求項１】
フレームにて両側面を支持された搬送ガイドによりガイドして媒体を搬送し所定の取引を行う自動取引装置において、
前記フレーム片側側面にフレーム孔を設け、前記フレーム孔を覆う位置に前記搬送ガイドによりガイドされた搬送ルートを等倍にて表示するガイド表示カバーを開閉可能に設けたことを特徴とする自動取引装置。
【請求項２】
前記ガイド表示カバーは、前記搬送ルートとともに搬送方向を表示するようにしたことを特徴とする請求項１に記載の自動取引装置。
【請求項３】
前記ガイド表示カバーは、搬送路にてジャムが発生したときに点灯または点滅するジャム発生表示ランプを備えたことを特徴とする請求項１に記載の自動取引装置。
【発明の詳細な説明】
【技術分野】
【０００１】
本発明は、紙幣等の媒体を搬送し所定の取引を行う自動取引装置に関するものである。
【背景技術】
【０００２】
一般に、従来の紙幣入出金機等の自動取引装置の搬送路は、図９の従来の自動取引装置の要部構成図、図１０の要部斜視図に示したように、紙幣等の搬送をガイドする搬送ガイド１０ａ、１０ｂ、紙幣等を搬送する搬送ローラ１１、搬送ガイド１０ａ、１０ｂの両側面に設けられたフレーム１２ａ、１２ｂ、搬送状態を検知するための搬送監視用センサ１３、駆動源である駆動モータ１４、ギア等から構成され駆動モータ１４の駆動力を伝達する駆動伝達部品１５が備えられている。
【０００３】
なお、図１０は、認識部５近傍の搬送路の斜視図であり、同図矢印Ａのように搬入された紙幣２０が搬送ガイド１０ａ、１０ｂによりガイドされて方向を変え矢印Ｂのように搬送される。
【０００４】
そして、搬送ガイド１０ａ、１０ｂは強度を保つためにフレーム１２ａ、１２ｂにその両側面を固定され、外観からは搬送路内が見えない構造となっている。
【０００５】
また、搬送路内でジャムが発生したときに残留する紙幣を除去するために、搬送ガイド１０ａ、１０ｂを開くことができる構造となっている。搬送ガイド１０ａ、１０ｂを開くことができない箇所は、残留紙幣を強制的に移動させるノブが実装されている。
【０００６】
そして、図１１の動作フローチャート図のように、この搬送路にてジャムが発生すると（ステップＳ１１）、エラーコードや発生内容の情報を表示し（ステップＳ１２）、これを係員が確認し、次に、ジャム発生箇所および除去方法を表示し（ステップＳ１３）、表示された情報をもとに保守マニュアルや自動取引装置の保守画面を確認しながら、該当する搬送ガイドを開いたり、ノブによる紙幣除去を行って（ステップＳ１４）、発生箇所すべての箇所についてジャム除去を行い（ステップＳ１５）、ジャム除去処理を終了する。
【０００７】
或いは、さらに除去作業を容易にするために、装置のドアの内側面に、ジャム処理方法の説明を記述した透明なシールを貼り、ジャム位置が分かるようにシールの裏側のジャムが発生した箇所に相当する箇所のＬＥＤを点灯させるようにし、ジャムが発生したときに前記ドアを開いて発生した箇所を確認しジャム処理方法を確認できるようにした技術はあった（例えば、特許文献１参照）。
【先行技術文献】
【特許文献】
【０００８】
【特許文献１】特開２００１−２４７２３５号公報
【発明の概要】
【発明が解決しようとする課題】
【０００９】
しかしながら、上記従来の自動取引装置では、搬送路が両側をフレーム１２ａ、１２ｂにて覆われており外観からは搬送ルートがわからない構造となっており、残留紙幣を除去する搬送ルートを確認するためには、保守マニュアルや保守画面の表示内容、或いはドアの内側のシールに記載された内容を見ながら搬送ルートを都度確認しなくてはならず、やはり、ジャム除去に時間が掛かってしまい、装置復旧に時間がかかるという問題があった。
【課題を解決するための手段】
【００１０】
本発明は、前述の課題を解決するために次の構成を採用する。すなわち、フレームにて両側面を支持された搬送ガイドによりガイドして媒体を搬送し所定の取引を行う自動取引装置において、前記フレーム片側側面にフレーム孔を設け、前記フレーム孔を覆う位置に前記搬送ガイドによりガイドされた搬送ルートを等倍にて表示するガイド表示カバーを開閉可能に設けた。
【発明の効果】
【００１１】
本発明の自動取引装置によれば、以上のように構成したので、搬送ルートの存在をイメージしながら紙幣除去作業を行うことができ、装置の復旧までの時間を短くすることができる。
【図面の簡単な説明】
【００１２】
【図１】実施例１の自動取引装置の構成図である。
【図２】実施例１の自動取引装置の要部構成図である。
【図３】実施例１の自動取引装置の要部斜視図である。
【図４】実施例１の自動取引装置の動作フローチャート図である。
【図５】実施例１の変形例の自動取引装置の要部斜視図である。
【図６】ガイド表示カバー閉時における実施例２の自動取引装置の要部斜視図
【図７】ガイド表示カバー開時における実施例２の自動取引装置の要部斜視図
【図８】実施例２の自動取引装置の動作フローチャート
【図９】従来の自動取引装置の要部構成図である。
【図１０】従来の自動取引装置の要部斜視図である。
【図１１】従来の自動取引装置の動作フローチャート図である。
【発明を実施するための形態】
【００１３】
以下、本発明に係わる実施の形態例を、図面を用いて説明する。図面に共通する要素には同一の符号を付す。なお、以下の説明では、金融機関等に設置され紙幣を取扱う紙幣入出金機を例として説明するが、硬貨を取扱う硬貨処理装置などにも本発明を適用することができる。
【実施例１】
【００１４】
（構成）
図１は実施例１の自動取引装置の構成を示す図である。同図に示したように、実施例１の自動取引装置は、矢印Ｃのように開くシャッタ２ｓおよび分離部２ａを備え紙幣の投入や出金紙幣を集積して受け渡す入出金部２と、入出金部２に投入された紙幣を搬送して一時貯留する集積機構および集積機構にて集積された紙幣を１枚ずつ分離して繰出す分離部６ａを備えた一時保留部６を備える。
【００１５】
また、分離部７ａを備え入出金部２に投入された紙幣を金種毎に収納する紙幣収納部７と、紙幣収納部７から繰出された紙幣が出金紙幣として不適であると鑑別されたリジェクト紙幣を収納するリジェクト部９と、搬送路上に設けられ搬送される紙幣の真偽、金種、正損、表裏等の鑑別および計数を行うとともに搬送異常の検出を行う認識部５とを備える。
【００１６】
また、実施例１の自動取引装置の搬送路は、図２の要部構成図、図３の要部斜視図に示したような構成となっている。なお、図２、図３に示した搬送路は図１のａ部位置の搬送路を例として示したものであり、この搬送路では図３のように認識部５から矢印Ａのように搬送されてきた紙幣２０は矢印Ｂのように搬送される。
【００１７】
同図に示したように、実施例１の自動取引装置の搬送路は、紙幣等の搬送をガイドする搬送ガイド１０ａ、１０ｂ、紙幣等を搬送する搬送ローラ１１、搬送ガイド１０ａ、１０ｂの両側面に設けられたフレーム１２ａ、１２ｂ、搬送状態を検知するための搬送監視用センサ１３、駆動源である駆動モータ１４、ギア等から構成され駆動モータ１４の駆動力を伝達する駆動伝達部品１５が備えられている。
【００１８】
そして、実施例１の自動取引装置では、保守を行う側のフレーム１２ａの外側に搬送ルートを等倍で表した搬送ルート表示１６ａが記載されたガイド表示カバー１６が備えられている。なお、ガイド表示カバー１６には、搬送ルート表示１６ａに加え、図示したように、紙幣が搬送される方向を矢印１６ｂにて示すようにするとなおよい。
【００１９】
そして、従来の自動取引装置と同様、搬送ガイド１０ａ、１０ｂは強度を保つためにその両側面がフレーム１２ａ、１２ｂに固定され、外観からは搬送路内が見えない構造となっている。
【００２０】
また、搬送路内でジャムが発生したときに残留する紙幣を除去するために、搬送ガイド１０ａ、１０ｂは開くことができる構造となっている。搬送ガイド１０ａ、１０ｂを開くことができない箇所は、残留紙幣を強制的に移動させるノブが実装されている。
【００２１】
（動作）
以上の構成にて実施例１の自動取引装置１は、以下のように動作する。まず、自動取引装置による所定の取引の１つとして入金取引の動作を前述の図１を用いて説明する。
【００２２】
自動取引装置１の紙幣を入金する入金取引では、入金する紙幣２０はシャッタ２ｓが矢印Ｃのように開いた後、入出金口２に投入され、図示しない入出金口内のセンサにて投入を確認後、シャッタ２ｓを閉じる。
【００２３】
このとき、入出金部２の入金口に紙幣が複数枚投入されたときは、分離部２ａにより１枚ずつ分離し、認識部５へ搬送されて真偽及び紙幣状態を判定し、真券・正常と判断すると一時保留部６へ搬送し、それ以外は入出金部２へ搬送し、返却する。
【００２４】
取引確定後、分離部６ａにより紙幣を１枚ずつ分離し、認識部５にて金種及び紙幣状態を判別し分岐部にて正常券は各紙幣収納部７へ、正常券以外はリジェクト部９へ搬送して収納を行う。
【００２５】
なお、出金時は紙幣収納部７から分離部７ａにより紙幣を１枚ずつ分離し搬出し認識部５にて紙幣状態を判別し、正常券は入出金部２へ、正常券以外はリジェクト部９へ搬送し集積する。
【００２６】
次に、実施例１の自動取引装置のジャム除去動作について図４の動作フローチャート図を用いて以下説明する。なお、以下の説明では、図１のａ部、すなわち認識部５の搬出位置の搬送路においてジャムが発生した場合を例として説明するが、その他の場所であってもよい。
【００２７】
まず、この搬送路にてジャムが発生すると（ステップＳ０１）、エラーコードや発生内容の情報を表示し（ステップＳ０２）、これを係員が確認し、表示された情報をもとに、該当する搬送ガイドを開いたり、ノブによる紙幣除去を行って（ステップＳ０３）、発生箇所すべての箇所についてジャム除去を行い（ステップＳ０４）、ジャム除去処理を終了する。
【００２８】
なお、以上の実施例の説明では、ジャムの発生位置の表示方法については、詳細に説明しなかったが、図３に示したように、ガイド表示カバー１６にジャム発生表示ランプ１６ｃを設け、ジャムが検知された搬送路のランプを点灯或いは点滅させるようにすればよい。
【００２９】
なお、以上の実施例の説明では、ガイド表示カバー１６に記載する搬送ルート表示１６ａを搬送ルートの等倍で記載するように説明したが、搬送路が切り替えられたり、搬送方向が変化したりする場合を考慮し、ガイド表示カバー１６を液晶表示部にて構成し、ジャムが発生したときの搬送方向や搬送路を液晶表示するようにしてもよい。搬送ルート表示１６ａは、搬送ルートの等倍で記載するように説明したが、ここで等倍とは、ジャム発生時に係員が搬送ルートの存在をイメージできるような表示であればよく、搬送ルート表示１６ａは搬送ルートと全く同じ寸法である必要はない。
【００３０】
なお、以上の実施例の説明では、搬送ルート表示１６ａはガイド表示カバー１６に記載するように説明したが、例えば図５に示す実施例１の変形例を表す要部斜視図のように、フレーム１２ａに搬送ルート１６ａを記載するようにしてもよい。このとき、搬送方向を示す矢印１６ｂもフレーム１２ａに記載するようにしてもよいが、例えば図５のように、ジャム発生表示ランプ１６ｃを保護するように、別部材の矢印１６ｂ−１及び１６ｂ−２を備えるようにしてもよい。こうすることによって、ジャム発生表示ランプ１６ｃの保護及びフレーム１２ａの強度を向上することができる。
【００３１】
（実施例１の効果）
以上のように、実施例１の紙幣入出金機によれば、フレームにて両側面を支持された搬送ガイドによりガイドして媒体を搬送し所定の取引を行う自動取引装置において、前記フレームの外側に前記搬送ガイドによりガイドされた搬送ルートを等倍にて表示するガイド表示カバーを設けたので、搬送ルートの存在をイメージしながら紙幣除去作業を行うことができ、装置の復旧までの時間を短くすることができる。
【実施例２】
【００３２】
次に、図６及び図７を用いて本発明に係る実施例２について説明する。実施例１と共通の構成については、同一の符号を付して詳細な説明は省略する。
【００３３】
実施例２の自動取引装置の搬送路は、図６の要部斜視図に示したような構成となっている。なお、図６に示した搬送路は実施例１同様、図１のａ部位置の搬送路を例として示したものであり、紙幣の搬送方向等は実施例１と同様であるため、詳細な説明は省略する。
【００３４】
実施例２におけるガイド表示カバー１６の実施例１との違いは、図６に示すように、実施例１で詳細に説明したガイド表示カバー１６の表面に、新たに取っ手部１７が設けられている。また、図７に示すようにガイド表示カバー１６は開閉可能にフレーム１２ａに取り付けられ、ガイド表示カバー１６の開時にはフレーム１２ａに設けた穴部により搬送ガイド１０ａ、１０ｂが視認できる構成となっており、また、ガイド表示カバー１６の閉時にジャム発生表示ランプ１６ｃにあたる位置に、ジャム発生表示ランプ孔１９を備えている。また、ガイド表示カバー１６の大きさは、ガイド表示カバー１６閉時にフレーム孔１８全体を覆うことができる大きさである。なお、ガイド表示カバー１６のフレーム１２ａへの取り付け手段は図示しないが、例えば蝶番などにより取り付けられればよい。
【００３５】
次に、実施例２の自動取引装置のジャム除去動作について図８の動作フローチャート図を用いて以下説明する。なお、以下の説明では実施例１同様、図１のａ部にてジャムが発生した場合を例として説明する。
【００３６】
まず、実施例１同様、この搬送路にてジャムが発生すると（ステップＳ２１）、エラーコードや発生内容の情報を表示する（ステップＳ２２）。これを係員が確認し、表示された情報をもとに、取っ手部１７によりガイド表示カバー１６を開き、フレーム孔１８より搬送ガイド１０ａ、１０ｂを視認し、紙幣のジャム状態を確認する（Ｓ２３）。該当する搬送ガイドを開いたり、ノブによる紙幣除去を行って（ステップＳ２４）、発生箇所すべての箇所についてジャム除去を行い（ステップＳ２５）、ジャム除去処理を終了する。
【００３７】
なお、以上の実施例の説明では、Ｓ２３にてガイド表示カバー１６を開いて紙幣のジャム状態を確認後、搬送ガイドを開いたりノブによる紙幣除去を行うこととして説明したが、フレーム孔１８から紙幣除去が行えるようなジャムである場合はＳ２３にて紙幣除去を行い、Ｓ２４を省略してもよい。
【００３８】
なお、ガイド表示カバー１６に記載する搬送ルート表示１６ａは、実施例１同様、搬送路が切り替えられたり、搬送方向が変化したりする場合を考慮し、ガイド表示カバー１６を液晶表示部にて構成し、ジャムが発生したときの搬送方向や搬送路を液晶表示するようにしてもよい。また、搬送ルート表示１６ａはジャム発生時に係員が搬送ルートの存在をイメージできるような表示であれば、搬送ルート表示１６ａは搬送ルートの等倍で表示しなくともよい。
【００３９】
なお、以上の実施例の説明では、ガイド表示カバー１６はジャム発生表示ランプ孔１９を備えているとして説明したが、ジャム発生表示ランプ１６ｃを設けない場合、ガイド表示カバー１６にジャム発生表示ランプ孔１９を備えなくともよい。
【００４０】
なお、以上の実施例の説明では、ガイド表示カバー１６はガイド表示カバー１６閉時にフレーム孔１８全体を覆うことができる大きさであるとして説明したが、例えばガイド表示カバー１６をフレーム孔１８と同じサイズにし、ガイド表示カバー１６閉時はフレーム穴１８にガイド表示カバー１６を嵌めることとし、ガイド表示カバー１６開時はフレーム孔１８に嵌めたガイド表示カバー１６を取り外すことができる着脱構造としてもよい。こうすることで、ガイド表示カバー１６がフレーム１２ａと同じ機能を持つと同時に、ジャム発生時にはガイド表示カバー１６を取り外すことで搬送ガイド１０ａ、１０ｂが視認可能となる。また、蝶番等の取り付け手段も不要となる。
【００４１】
（実施例２の効果）
以上のように、実施例２の紙幣入出金機によれば、フレームにて両側面を支持された搬送ガイドによりガイドして媒体を搬送し所定の取引を行う自動取引装置において、前記フレーム片側側面にフレーム孔を設け、前記フレーム孔を覆う位置に前記搬送ガイドによりガイドされた搬送ルートを等倍にて表示するガイド表示カバーを開閉可能に設けたので、搬送ルートの存在をイメージしながら紙幣除去作業を行うことができ、装置の復旧までの時間を短くすることができる。また、ガイド表示カバーの開閉によりフレーム孔を介して搬送ガイドを視認することができるため、係員が搬送ルートにおける紙幣のジャム状態を容易に確認できるだけでなく、フレーム孔を介しての紙幣除去も可能であるため、装置の復旧までの時間を短くすることができる。
【産業上の利用可能性】
【００４２】
以上述べたように、本発明は、入出金する紙幣等の媒体を搬送し所定の取引を行う自動取引装置に広く用いることができる。
【符号の説明】
【００４３】
１    自動取引装置
２    入出金部
４    シャッタ
５    認識部
６    一時保留部
７    紙幣収容部
９    リジェクト部
１０ａ、１０ｂ  搬送ガイド
１１  搬送ローラ
１２ａ、１２ｂ  フレーム
１３  搬送監視センサ
１６  ガイド表示カバー
２０  紙幣
【図１】
0005799609.tif 000002
【図２】
0005799609.tif 000003
【図３】
0005799609.tif 000004
【図４】
0005799609.tif 000005
【図５】
0005799609.tif 000006
【図６】
0005799609.tif 000007
【図７】
0005799609.tif 000008
【図８】
0005799609.tif 000009
【図９】
0005799609.tif 000010
【図１０】
0005799609.tif 000011
【図１１】
0005799609.tif 000012